(57)【特許請求の範囲】
【請求項１】
外壁の入隅コーナーを挟んで直角に連設する一対の外壁面の一方に勝手口が設けられ、この勝手口の上方において前記一方の外壁面より張り出して設けられる勝手口庇の取付け構造であって、建物の軸組支柱へボルト固定した腕木を前記一方の外壁面より突出させて、前記勝手口とは直角な方向の外壁面とは反対側において、勝手口庇の端部をこの腕木へボルト固定して支持し、 前記入隅コーナー部分より入隅用根元固定金具を突出させて、前記直角な方向の外壁面側において、この入隅用根元固定金具へボルト固定して勝手口庇の根元部分を支持し、前記直角方向の外壁面より外側に入隅用先端固定金具を突出させて、同じく前記直角な方向の外壁面側において、この入隅用先端固定金具の固定部の外側面へそれに対面する庇フレームを水平方向のボルトで固定して勝手口庇の先端部分を支持してなることを特徴とする勝手口庇の取付け構造。
【請求項２】
前記直角方向の外壁の躯体から外壁材外側へ前記入隅用先端固定金具を突出させて、この金具へ勝手口庇のフレームを固定する請求項１記載の勝手口庇の取付け構造。
【発明の詳細な説明】
【０００１】
【発明の属する技術分野】
この発明は、住宅の勝手口の上方を覆うようにして設けられる勝手口庇の取付け構造に関するものである。
【０００２】
【従来の技術】
住宅の勝手口上方を覆う勝手口庇は、従来、その勝手口が設けられた外壁部から片持ち状に張り出して設けられている。
【０００３】
【発明が解決しようとする課題】
しかしながら、勝手口庇を一つの外壁から片持ち状に張り出して設けたものにおいては、積雪の多い地域では、この積雪荷重に耐えることが出来ず、荷重によって傾くか或いは脱落の危険があるという問題があった。
【０００４】
この発明は、このような従来の欠点を解消して、多雪地域においても積雪荷重によって庇が傾いたり或いは脱落する恐れのない勝手口庇の取付け構造を提供することを目的とするものである。
【０００５】
【課題を解決するための手段】
上記の課題を解決するため、この発明は、壁の入隅コーナーを挟んで直角に連設する一対の外壁面の一方に勝手口が設けられ、この勝手口の上方において前記一方の外壁面より張り出して設けられる勝手口庇の取付け構造であって、建物の軸組支柱へボルト固定した腕木を前記一方の外壁面より突出させて、前記勝手口とは直角な方向の外壁面とは反対側において、勝手口庇の端部をこの腕木へボルト固定して支持し、 前記入隅コーナー部分より入隅用根元固定金具を突出させて、前記直角な方向の外壁面側において、この入隅用根元固定金具へボルト固定して勝手口庇の根元部分を支持し、前記直角方向の外壁面より外側に入隅用先端固定金具を突出させて、同じく前記直角な方向の外壁面側において、この入隅用先端固定金具の固定部の外側面へそれに対面する庇フレームを水平方向のボルトで固定して勝手口庇の先端部分を支持してなることを特徴とする。
【０００６】
また、前記直角方向の外壁の躯体から外壁材外側へ入隅用先端固定金具を突出させて、この金具へ勝手口庇のフレームを固定することが考えられる。
【０００７】
【発明の実施の形態】
図１において、（１）（１）…は、外壁の骨組を構成する溝形鋼（Ｃチャンネル）製の軸組支柱、（３）（３）は、それら軸組支柱（１）（１）…の上端に取り付けられた溝形鋼（Ｃチャンネル）製の上部横枠で、その横枠（３）（３）の上にＨ形鋼からなる梁（４）が配置されている。
【０００８】
（５）は、図２以下で示す勝手口（８）上方で庇（９）を固定するための腕木、（６）は、勝手口とは直角な外壁側（以下入隅側と称する）へ庇先端部分を固定するための入隅用先端固定金具、（７）は同じく入隅側において、庇の根元部分を固定するための入隅用根元固定金具を示している。
【０００９】
腕木（５）は、図のように倒Ｔ字型の板材からなり、その縦方向に長くなった部分を、互いに背中合わせに隣接する軸組支柱（１）（１）間の隙間へ差し込んでボルト（１１）で取り付けられて、横方向に長くなった部分が外方へ突出するようにして取り付けられる。
【００１０】
入隅先端固定金具（６）も、同様に倒Ｔ字型の板材からなり、縦方向に長くなった部分を入隅側の軸組支柱（１）（１）間の隙間へ差し込んでボルト（１２）で固定される。外方に突出する横方向に長くなった部分の先端は、勝手口（８）側の外壁方向へ向けて水平方向へ直角に折曲されて、庇固定部（１３）を形成している。
【００１１】
(14)は、入隅用根元固定金具(７)を取り付けるための受金具であり、対面状態で配置された垂直な一対の垂直片(15)(16)と、それらを連結する連結部材(17)とからなり、一方の垂直片(15)を、入隅コーナーの勝手口(８)側の軸組支柱(１)の内側面に、予めボルト(18)で固定されるようになっている。
【００１２】
入隅用根元固定金具（７）は、側面から見て概略Ｌ字形であり、その垂直部分を、前記受け金具（１４）の先端の垂直片（１６）へボルト（１９）で固定されて、水平方向部分先端の庇固定部（２０）が、前記先端固定金具（６）の固定部（１３）に対向するように外方へ向けて突出している。図２は、平面から見た上記腕木（５）と固定金具（６）（７）の配置を示している。
【００１３】
勝手口庇(９)は、図３で示すように、平面から見てやや横長の長方形状であり、まず、左右方向の入隅側とは反対側である前記直角な方向の外壁面とは反対側の端部を腕木(５)へ上方から被せるようにして設置し、この腕木(５)へボルト(22)で固定する。
【００１４】
他方、入隅側においては、図４で示すように、その入隅側の庇フレーム(23)の先端部分が、先端固定金具(６)の固定部(13)の外側面に対面し、根元部分が根元固定金具(７)の固定部(20)へ対面しており、それらに差し込んだ図のような水平方向のボルト(24)(24)で、この庇フレーム(23)を固定支持させる。なお、図５で示すように、庇(９)の裏面には、取付け後に裏天井板(25)を取り付ける。
【００１５】
【発明の効果】
以上のように、この発明では、勝手口庇を外壁の入隅部へ設けて、その勝手口庇の左右側面の一方をそれに対応する外壁側へ固定しているから、従来の片持ち支持したものと異なって、積雪地域でも充分積雪荷重に耐え得る勝手口庇が得られる。
【図面の簡単な説明】
【図１】勝手口庇固定金具等の軸組への取付け方法を示す斜視図である。
【図２】同じく平面から見た固定金具などの配置図である。
【図３】勝手口庇の取付け方法を示す斜視図である。
【図４】庇フレームと固定金具との固定構造を示す要部縦断面図である。
【図５】勝手口庇取付け後の裏天井板取付け前の状態を示す下から見上げた斜視図である。
【図６】勝手口庇取付け後の状態を斜め上方から見た斜視図である。
【符号の説明】
(１)  軸組支柱
(５)  腕木
(６)  入隅用先端固定金具
(７)  入隅用根元固定金具
(８)  勝手口
(９)  勝手口庇
(11)  ボルト
(13)  庇固定部
(18)  ボルト
(22)  ボルト
(23)  庇フレーム
(24)  ボルト
【図１】
0003578301.tif 000002
【図２】
0003578301.tif 000003
【図３】
0003578301.tif 000004
【図４】
0003578301.tif 000005
【図５】
0003578301.tif 000006
【図６】
0003578301.tif 000007